【手続補正書】
【提出日】平成18年12月14日(2006.12.14)
【手続補正１】
【補正対象書類名】特許請求の範囲
【補正対象項目名】請求項９
【補正方法】変更
【補正の内容】
【請求項９】
シリアルにて伝送されるデータ信号を所定の周波数のサンプリングクロックでサンプリングしてディジタルデータに変換するＡ／Ｄ変換ステップと、
前記データ信号における所定の期間を設定する期間設定ステップと、
前記期間設定ステップで設定された期間内の前記ディジタルデータを格納するデータ格納ステップと、
前記データ格納ステップで格納されたディジタルデータの格納アドレスを生成するアドレス生成ステップと、
前記データ格納ステップで格納されたディジタルデータの振幅値の最大値を検出する最大値検出ステップと、
前記データ格納ステップで格納されたディジタルデータの振幅値の最小値を検出する最小値検出ステップと、
前記データ格納ステップで格納されたディジタルデータをコアリング処理するコアリング処理ステップと、
前記コアリング処理ステップでコアリング処理された第１のデータの大きさと、前記第１のデータの１サンプリングクロック前にコアリング処理された第２のデータの大きさと、前記第１のデータの１サンプリングクロック後にコアリング処理された第３のデータの大きさとを比較する比較ステップと、
前記比較ステップの比較結果により、データの大きさが、第２のデータ、第１のデータ、第３のデータの順であることが示された場合、前記第１のデータの格納アドレスを、単調増加点アドレスとして格納する単調増加点アドレス格納ステップと、
前記比較ステップの比較結果により、データの大きさが、第３のデータ、第１のデータ、第２のデータの順であることが示された場合、前記第１のデータの格納アドレスを、単調減少点アドレスとして格納する単調減少点アドレス格納ステップと、
前記単調増加点アドレス格納ステップで格納された単調増加点アドレスと、その１サンプリングクロック前に格納された単調増加点アドレスと、前記単調減少点アドレス格納ステップで格納された単調減少点アドレスとから、前記単調増加点アドレスに対応するディジタルデータが単調増加点であるか否かを判定する判定ステップと、
前記判定ステップから得られた判定結果に基づいて、前記最大値検出ステップから得られた最大値と前記最小値検出ステップから得られる最小値とからスライスレベルを算出するスライスレベル算出ステップと、を含むことを特徴とするデータスライス制御方法。
【手続補正２】
【補正対象書類名】明細書
【補正対象項目名】０００３
【補正方法】変更
【補正の内容】
【０００３】
図１４において、映像信号入力端子１４０１は、垂直帰線期間に文字放送データが重畳されたアナログ映像信号Ｓ１４０１を入力する。
Ａ／Ｄ変換器１４０２は、アナログ映像信号Ｓ１４０１を、所定のサンプリングクロックｆｓ（ＭＨｚ）でサンプリングしてディジタル映像信号Ｓ１４０２に変換し、ローパスフィルタ（ＬＰＦ）１４０３に出力する。
【手続補正３】
【補正対象書類名】明細書
【補正対象項目名】００２３
【補正方法】変更
【補正の内容】
【００２３】
本発明の請求項９に係るデータスライス制御方法は、シリアルにて伝送されるデータ信号を所定の周波数のサンプリングクロックでサンプリングしてディジタルデータに変換するＡ／Ｄ変換ステップと、前記データ信号における所定の期間を設定する期間設定ステップと、前記期間設定ステップで設定された期間内の前記ディジタルデータを格納するデータ格納ステップと、前記データ格納ステップで格納されたディジタルデータの格納アドレスを生成するアドレス生成ステップと、前記データ格納ステップで格納されたディジタルデータの振幅値の最大値を検出する最大値検出ステップと、前記データ格納ステップで格納されたディジタルデータの振幅値の最小値を検出する最小値検出ステップと、前記データ格納ステップで格納されたディジタルデータをコアリング処理するコアリング処理ステップと、前記コアリング処理ステップでコアリング処理された第１のデータの大きさと、前記第１のデータの１サンプリングクロック前にコアリング処理された第２のデータの大きさと、前記第１のデータの１サンプリングクロック後にコアリング処理された第３のデータの大きさとを比較する比較ステップと、前記比較ステップの比較結果により、データの大きさが、第２のデータ、第１のデータ、第３のデータの順であることが示された場合、前記第１のデータの格納アドレスを、単調増加点アドレスとして格納する単調増加点アドレス格納ステップと、前記比較ステップの比較結果により、データの大きさが、第３のデータ、第１のデータ、第２のデータの順であることが示された場合、前記第１のデータの格納アドレスを、単調減少点アドレスとして格納する単調減少点アドレス格納ステップと、前記単調増加点アドレス格納ステップで格納された単調増加点アドレスと、その１サンプリングクロック前に格納された単調増加点アドレスと、前記単調減少点アドレス格納ステップで格納された単調減少点アドレスとから、前記単調増加点アドレスに対応するディジタルデータが単調増加点であるか否かを判定する判定ステップと、前記判定ステップから得られた判定結果に基づいて、前記最大値検出ステップから得られた最大値と前記最小値検出ステップから得られる最小値とからスライスレベルを算出するスライスレベル算出ステップと、を含むことを特徴とする。
【手続補正４】
【補正対象書類名】明細書
【補正対象項目名】００３２
【補正方法】変更
【補正の内容】
【００３２】
Ａ／Ｄ変換器１０２は、アナログ映像信号Ｓ１０１を、所定のサンプリングクロックｆｓ（ＭＨｚ）でサンプリングしてディジタル映像信号Ｓ１０２に変換し、ローパスフィルタ（ＬＰＦ）１０３に出力する。
【手続補正５】
【補正対象書類名】明細書
【補正対象項目名】００４１
【補正方法】変更
【補正の内容】
【００４１】
データ保持回路１１０は、カウント値Ｓ１０８と単調減少検出信号Ｓ１０７とを入力し、カウント値Ｓ１０８を単調減少検出信号Ｓ１０７でロードするとともに、次の単調減少検出信号Ｓ１０７が生成されるまで、カウント値を保持し、単調増加・単調減少間隔値Ｓ１１０として、ＣＲＩ期間判定回路１１２に出力する。
【手続補正６】
【補正対象書類名】明細書
【補正対象項目名】００４２
【補正方法】変更
【補正の内容】
【００４２】
文字方式格納テーブル１１１は、図１５に示す各種文字放送方式の伝送クロックとサンプリングクロックとの比で示される文字放送方式データを格納しておいて、各種文字放送方式データＳ１１１として、ＣＲＩ期間判定回路１１２に出力する。
【手続補正７】
【補正対象書類名】明細書
【補正対象項目名】００４３
【補正方法】変更
【補正の内容】
【００４３】
ＣＲＩ期間判定回路１１２は、単調増加検出信号Ｓ１０６とカウント値Ｓ１０８と単調増加・単調減少間隔値Ｓ１１０と各種文字放送方式データＳ１１１とから、データ信号がＣＲＩ期間内であるかを判定し、ＣＲＩ期間内であると判定すれば、ＣＲＩ期間判定信号Ｓ１１２をスライスレベル算出回路１１３に出力する。
【手続補正８】
【補正対象書類名】明細書
【補正対象項目名】００５９
【補正方法】変更
【補正の内容】
【００５９】
ＣＲＩ期間判定回路１１２は、カウンタ１０８から得られるカウンタ値Ｓ１０８と、単調増加検出回路１０６から得られる単調増加検出信号Ｓ１０６と、データ保持回路１１０から得られる単調増加・単調減少間隔値Ｓ１１０とから、図２（ｊ）に示すＣＲＩ期間判定信号Ｓ１１２を生成する。図２（ａ）の黒点で示すように、テレテキスト信号が重畳されたアナログ信号は、伝送クロックの２倍のサンプリングクロックでサンプリングされているため、ＣＲＩの周期としては、４サンプリング点となる。時刻Ｔ３では、単調増加検出信号Ｓ１０６がＨとなり、その時のカウンタ値Ｓ１０８は、図２（ｆ）に示すように０であり、単調増加・単調減少間隔値Ｓ１１０も、図２（ｇ）に示すように０である。正常なＣＲＩが検出される場合、カウンタ値は、０からカウントを開始するためＣＲＩの周期である４から１を減算した３となる。また、単調増加・単調減少間隔値は、伝送クロックの周期である２から１を減算した１となる。時刻Ｔ３では、カウンタ値、単調増加・単調減少間隔値ともに０であるため、異常であると判定され、ＣＲＩ期間判定信号Ｓ１１２は生成されない。時刻Ｔ５では、単調増加検出信号Ｓ１０６がＨの時のカウンタ値Ｓ１０８は、図２（ｆ）に示すように３であり、単調増加・単調減少間隔値Ｓ１１０は、図２（ｇ）に示すように１である。この場合、カウンタ値、単調増加・減少間隔値ともに正常であるため、図２（ｊ）に示すようにＣＲＩ期間判定信号Ｓ１１２が生成される。同様に、時刻Ｔ７、Ｔ９、Ｔ１１においてもＣＲＩ期間判定信号Ｓ１１２が生成される。時刻Ｔ１３では、単調増加検出信号Ｓ１０６がＨとなるが、その時のカウンタ値Ｓ１０８は、図２（ｆ）に示すように９となり、単調増加・単調減少間隔値Ｓ１１０は、図２（ｇ）に示すように４となるため、異常であると判定され、ＣＲＩ期間判定信号Ｓ１１２は生成されない。
【手続補正９】
【補正対象書類名】明細書
【補正対象項目名】００６３
【補正方法】変更
【補正の内容】
【００６３】
さらに、文字放送方式の種別とサンプリングクロックの周波数とからＣＲＩ検出を行うため、サンプリングクロックさえ決定すれば、欧州のテレテキスト放送だけでなく、ＶＰＳ、ＷＳＳ、日本の文字多重放送、電子プログラミング案内（略して、ＥＰＧ）、米国のクローズドキャプション放送にも対応して正確なスライスレベル算出を行うことができ、本実施の形態１に係るデータスライス制御装置１つで、全世界の文字放送方式に対応することができる。
【手続補正１０】
【補正対象書類名】明細書
【補正対象項目名】００６４
【補正方法】変更
【補正の内容】
【００６４】
（実施の形態２）
本発明の実施の形態２に係るデータスライス制御装置について図３及び図４を用いて説明する。図３は、本発明の実施の形態２に係るデータスライス制御装置の構成を示すブロック図である。図３に示すように、実施の形態２に係るデータスライス制御装置は、実施の形態１に係るデータスライス制御装置に、判定信号カウンタ３２０と、累積加算回路３２１と、データ選択回路３２２とを備える。その他の構成要素については、実施の形態１と同様な動作を行うことから説明を省略する。
【手続補正１１】
【補正対象書類名】明細書
【補正対象項目名】００６７
【補正方法】変更
【補正の内容】
【００６７】
データ選択回路３２２は、ＣＲＩ期間判定信号カウント値Ｓ３２０と累積加算値Ｓ３２１とから、最適なスライスレベルを選択し、選択スライスレベルＳ３２２として２値化回路３１４に出力する。
【手続補正１２】
【補正対象書類名】明細書
【補正対象項目名】００６８
【補正方法】変更
【補正の内容】
【００６８】
以上のように構成されたデータスライス制御装置の動作について図４を用いて詳しく説明する。ここでは、文字放送データの種別をテレテキスト放送とした場合を例にとり説明する。図４は、本実施の形態２に係るデータスライス制御装置の動作を説明するためのタイミング図であり、（ａ）はアナログ映像信号Ｓ３０１、（ｂ）は水平同期信号Ｓ３１９ａ、（ｃ）はＣＲＩ期間設定信号Ｓ３１８、（ｄ）は単調増加検出信号Ｓ３０６、（ｅ）は単調減少検出信号Ｓ３０７、（ｆ）はカウンタ値Ｓ３０８、（ｇ）は単調増加・単調減少間隔値Ｓ３１０、（ｈ）はＣＲＩ期間判定信号Ｓ３１２、（ｉ）はスライスレベルＳ３１３、（ｊ）は判定信号カウンタ値Ｓ３２０、（ｋ）は累積加算値Ｓ３２１、（ｌ）は選択スライスレベルＳ３２２を示している。
【手続補正１３】
【補正対象書類名】明細書
【補正対象項目名】００７０
【補正方法】変更
【補正の内容】
【００７０】
時刻Ｔ１において、アナログ映像信号Ｓ３０１をＡ／Ｄ変換器３０２でディジタル化して得られたディジタル映像信号Ｓ３０２から、同期分離回路３１９は、図４（ｂ）に示すような水平同期信号Ｓ３１９ａを分離する。
【手続補正１４】
【補正対象書類名】明細書
【補正対象項目名】００７１
【補正方法】変更
【補正の内容】
【００７１】
時刻Ｔ２において、ＣＲＩ期間設定回路３１８は、水平同期信号Ｓ３１９ａに基づいて、図４（ｃ）に示すＣＲＩ期間を設定するためのＣＲＩ期間設定信号Ｓ３１８を生成する。厳密にＣＲＩ期間だけを含むような設定にする必要はなく、ＣＲＩ期間以外のフレーミングコード期間を含んでいてもまったく問題ない。
【手続補正１５】
【補正対象書類名】明細書
【補正対象項目名】００７３
【補正方法】変更
【補正の内容】
【００７３】
時刻Ｔ４、Ｔ６、Ｔ８、Ｔ１０、Ｔ１２、Ｔ１４において、ノイズが除去されたディジタル映像信号Ｓ３０３と図４（ｃ）に示すＣＲＩ期間設定信号Ｓ３１８とから、単調減少検出回路３０７により図４（ｅ）に示す単調減少検出信号Ｓ３０７を生成する。単調減少検出信号Ｓ３０７の生成方法は、実施の形態１で示した単調減少検出信号Ｓ１０７の生成方法と同様であることから説明は省略する。
【手続補正１６】
【補正対象書類名】明細書
【補正対象項目名】００７６
【補正方法】変更
【補正の内容】
【００７６】
最大値検出回路３０４は、ノイズが除去されたディジタル映像信号Ｓ３０３のサンプリング点における振幅値の最大値Ｓ３０４を検出する。ただし、最大値検出回路３０４は、図４（ｄ）に示す単調増加検出信号Ｓ３０６がＨとなり次にＨとなるまでの期間だけ最大値を検出する。すなわち、単調増加検出信号Ｓ３０６がＨとなると、今までの最大値はクリアされ、再度最大値の検出を行うようになる。最大値検出回路３０４で検出される最大値Ｓ３０４は、実施の形態１で説明した、最大値Ｓ１０４と同様のため、図４では省略する。
【手続補正１７】
【補正対象書類名】明細書
【補正対象項目名】００７７
【補正方法】変更
【補正の内容】
【００７７】
最小値検出回路３０５は、ノイズを除去したディジタル映像信号Ｓ３０３のサンプリング点における振幅値の最小値Ｓ３０５を検出する。ただし、最小値検出回路３０５は、図４（ｄ）に示す単調増加検出信号Ｓ３０６がＨとなり次にＨとなるまでの期間だけ最小値を検出する。すなわち、単調増加検出信号Ｓ３０６がＨとなると、今までの最小値はクリアされ、再度最小値の検出を行うようになる。最大値検出回路３０５で検出される最小値Ｓ３０５は、実施の形態１で説明した、最小値Ｓ１０５と同様のため、図４では省略する。
【手続補正１８】
【補正対象書類名】明細書
【補正対象項目名】００８０
【補正方法】変更
【補正の内容】
【００８０】
判定信号カウンタ３２０は、ＣＲＩ期間判定信号Ｓ３１２がＨのときのみカウント動作を行い、カウント結果は、図４（ｊ）に示すように判定信号カウンタ値Ｓ３２０として推移する。
【手続補正１９】
【補正対象書類名】明細書
【補正対象項目名】００８２
【補正方法】変更
【補正の内容】
【００８２】
データ選択回路３２２は、累積加算回路３２１から得られた累積加算値Ｓ３２１と判定信号カウンタ３２０から得られた判定信号カウンタ値Ｓ３２０とから選択スライスレベルＳ３２２を算出する。テレテキスト放送を代表とする文字放送においては、ＣＲＩは、最大８周期であるため、判定信号カウンタ値Ｓ３２０が８を超えないように制御する。選択スライスレベルＳ３２２を算出する方法としては、累積加算値Ｓ３２１を判定信号カウンタ値Ｓ３２０で除算し、その除算した値を選択スライスレベルＳ３２２とする方法があるが、ここでは、回路規模の増大を抑えるために、除算を使用せず、シフト演算のみで算出する方法について述べる。累積加算値Ｓ３２１をビットシフトしないデータＡＣＭＤ１、１ビット右シフトしたデータＡＣＭＤ２、２ビット右シフトしたデータＡＣＭＤ４、３ビット右シフトしたデータＡＣＭＤ８を用意し、判定信号カウンタ値Ｓ３２０により、前記ＡＣＭＤ１、ＡＣＭＤ２、ＡＣＭＤ４、ＡＣＭＤ８のいずれかのうち最適なデータを選択する。すなわち、判定信号カウンタ値が１のときは、ＡＣＭＤ１を、２と３のときはＡＣＭＤ２を、４と５と６と７のときはＡＣＭＤ３を、８以上のときはＡＣＭＤ４を選択するようにする。具体的には、図４（ｌ）において、判定信号カウンタ値Ｓ３２０が１のときは、累積加算値Ｓ３２１の値１１５がそのまま選択され、判定信号カウンタ値Ｓ３２０が２と３のときは、累積加算値Ｓ３２１の値２０５を１ビット右シフト、すなわち２で割った値１０２が選択され、判定信号カウンタ値Ｓ３２０が４となったときは、累積加算値Ｓ３２１の値４１５を２ビット右シフト、すなわち４で割った値１０３が選択される。図４においては、累積カウンタ値は４までであるが、上述したような方式で順次選択される。
【手続補正２０】
【補正対象書類名】明細書
【補正対象項目名】００８８
【補正方法】変更
【補正の内容】
【００８８】
Ａ／Ｄ変換器５０２は、アナログ映像信号Ｓ５０１を、所定のサンプリングクロックｆｓ（ＭＨｚ）でサンプリングしてディジタル映像信号Ｓ５０２に変換し、ローパスフィルタ（ＬＰＦ）５０３に出力する。
【手続補正２１】
【補正対象書類名】明細書
【補正対象項目名】００９８
【補正方法】変更
【補正の内容】
【００９８】
判定器５３０では、マスキング処理されたコアリングデータＳ５２４と２Ｔ遅延させたデータＳ５２６とを用いて、マスキング処理されたコアリングデータＳ５２４の方が、２Ｔ遅延させたデータＳ５２６に対してある任意の値βを加算した値より大きい場合には、データのサンプリング点における振幅値が単調増加しているとして、単調増加信号Ｓ５３０ａを生成してマスク回路５３１に出力し、２Ｔ遅延させたデータＳ５２６の方が、マスキング処理されたコアリングデータＳ５２４に対してある任意の値βを加算した値より大きい場合には、データのサンプリング点における振幅値が単調減少しているとして、単調減少信号Ｓ５３０ｂをマスク回路５３２に出力する。
【手続補正２２】
【補正対象書類名】明細書
【補正対象項目名】００９９
【補正方法】変更
【補正の内容】
【００９９】
マスク回路５３１では、単調増加信号Ｓ５３０ａと比較結果信号Ｓ５２９とを入力し、どちらの信号も有効の状態を示す場合には、単調増加検出信号Ｓ５３１を生成してカウンタＳ５０８と最大値検出回路５０４と最小値検出回路５０５とＣＲＩ期間判定回路５１２に出力する。
【手続補正２３】
【補正対象書類名】明細書
【補正対象項目名】０１００
【補正方法】変更
【補正の内容】
【０１００】
マスク回路５３２では、単調減少信号Ｓ５３０ｂと比較結果信号Ｓ５２９とを入力し、どちらも有効な信号である場合には、単調減少検出信号Ｓ５３２を生成してデータ保持回路５１０に出力する。
【手続補正２４】
【補正対象書類名】明細書
【補正対象項目名】０１０３
【補正方法】変更
【補正の内容】
【０１０３】
カウンタ５０８は、ＣＲＩ期間設定信号Ｓ５１８と単調増加検出信号Ｓ５３１とを入力し、ＣＲＩ期間設定信号Ｓ５１８が有効な期間を、単調増加検出信号Ｓ５３１でリセットをかけて、サンプリングクロックでカウントし、カウント結果をカウント値Ｓ５０８として、データ保持回路５１０とＣＲＩ期間判定回路５１２とに出力する。
【手続補正２５】
【補正対象書類名】明細書
【補正対象項目名】０１０４
【補正方法】変更
【補正の内容】
【０１０４】
データ保持回路５１０は、カウント値Ｓ５０８と単調減少検出信号Ｓ５３２とを入力し、カウント値Ｓ５０８を単調減少検出信号Ｓ５３２でロードするとともに、次の単調減少検出信号Ｓ５３２が生成されるまで、データを保持し、単調増加・単調減少間隔値Ｓ５１０を、ＣＲＩ期間判定回路５１２に出力する。
【手続補正２６】
【補正対象書類名】明細書
【補正対象項目名】０１０６
【補正方法】変更
【補正の内容】
【０１０６】
ＣＲＩ期間判定回路５１２は、単調増加検出信号Ｓ５３１とカウント値Ｓ５０８と単調増加・単調減少間隔値Ｓ５１０と各種文字放送方式データＳ１１１とから、データ信号がＣＲＩ期間内であるかを判定し、ＣＲＩ期間内であると判定すれば、ＣＲＩ期間判定信号Ｓ５１２を、スライスレベル算出回路５１３に出力する。
【手続補正２７】
【補正対象書類名】明細書
【補正対象項目名】０１１５
【補正方法】変更
【補正の内容】
【０１１５】
Ａ／Ｄ変換器６０２はアナログ映像信号Ｓ６０１を、所定のサンプリングクロックｆｓ（ＭＨｚ）でサンプリングしてディジタル映像信号Ｓ６０２に変換し、ローパスフィルタ（ＬＰＦ）６０３に出力する。
【手続補正２８】
【補正対象書類名】明細書
【補正対象項目名】０１２０
【補正方法】変更
【補正の内容】
【０１２０】
マスク回路６２４は、コアリング処理されたコアリングデータＳ６２３を、ＣＲＩ期間設定信号Ｓ６１８が有効な期間以外は無効とするマスキング処理を施し、遅延器６２５と判定器６３０とに出力する。ここでのマスキング処理とは、ＣＲＩ期間設定信号Ｓ６１８が無効な期間のコアリングデータＳ６２３をある任意の固定値にすることである。
【手続補正２９】
【補正対象書類名】明細書
【補正対象項目名】０１２３
【補正方法】変更
【補正の内容】
【０１２３】
加算器６２７は、マスキング処理されたコアリングデータＳ６２４とマスキング処理されたコアリングデータを２Ｔ遅延させたデータＳ６２６とを加算し、ビットシフト演算器６２８に出力する。
【手続補正３０】
【補正対象書類名】明細書
【補正対象項目名】０１２６
【補正方法】変更
【補正の内容】
【０１２６】
判定器６３０では、マスキング処理されたコアリングデータＳ６２４と２Ｔ遅延させたデータＳ６２６を用いて、マスキング処理されたコアリングデータＳ６２４の方が、２Ｔ遅延させたデータＳ６２６に対してある任意の値βを加算した値より大きい場合には、データのサンプリング点における振幅値が単調増加したと判定して、単調増加信号Ｓ６３０ａを生成してマスク回路６３１に出力し、２Ｔ遅延させたデータＳ６２６の方が、マスキング処理されたコアリングデータＳ６２４に対してある任意の値βを加算した値より大きい場合には、データのサンプリング点における振幅値が単調減少したと判定して、単調減少信号Ｓ６３０ｂを生成してマスク回路６３２に出力する。
【手続補正３１】
【補正対象書類名】明細書
【補正対象項目名】０１２７
【補正方法】変更
【補正の内容】
【０１２７】
マスク回路６３１では、単調増加信号Ｓ６３０ａと比較結果信号Ｓ６２９とを入力して、どちらの信号も有効である場合には、単調増加検出信号Ｓ６３１を生成して、カウンタ６０８と最大値検出回路６０４と最小値検出回路６０５とＣＲＩ期間判定回路６１２に出力する。
【手続補正３２】
【補正対象書類名】明細書
【補正対象項目名】０１２９
【補正方法】変更
【補正の内容】
【０１２９】
最大値検出回路６０４は、単調増加検出信号Ｓ６３１とノイズが除去されたディジタル映像信号Ｓ６０３とから、単調増加が検出された期間内でのディジタルデータのサンプリング点における振幅値の最大値Ｓ６０４を検出し、スライスレベル算出回路６１３に出力する。
【手続補正３３】
【補正対象書類名】明細書
【補正対象項目名】０１３２
【補正方法】変更
【補正の内容】
【０１３２】
データ保持回路６１０は、カウント値Ｓ６０８と単調減少検出信号Ｓ６３２とを入力し、カウント値Ｓ６０８を単調減少検出信号Ｓ６３２でロードするとともに、次の単調減少検出信号Ｓ６３２が生成されるまで、データを保持し、単調増加・単調減少間隔値Ｓ６１０として、ＣＲＩ期間判定回路Ｓ６１２に出力する。
【手続補正３４】
【補正対象書類名】明細書
【補正対象項目名】０１３４
【補正方法】変更
【補正の内容】
【０１３４】
ＣＲＩ期間判定回路６１２は、単調増加検出信号Ｓ６３１とカウント値Ｓ６０８と単調増加・単調減少間隔値Ｓ６１０と各種文字放送方式データＳ６１１とから、データ信号がＣＲＩ期間内であるかを判定し、ＣＲＩ期間内であることが検出されれば、ＣＲＩ期間判定信号Ｓ６１２を、スライスレベル算出回路６１３に出力する。
【手続補正３５】
【補正対象書類名】明細書
【補正対象項目名】０１３５
【補正方法】変更
【補正の内容】
【０１３５】
スライスレベル算出回路６１３は、最大値Ｓ６０４と最小値Ｓ６０５とＣＲＩ期間判定信号Ｓ６１２とから、ＣＲＩ期間であると判定された期間に検出された最大値Ｓ６０４と最小値Ｓ６０５とを平均して、スライスレベルＳ６１３を算出し、累積加算回路６２１に出力する。
【手続補正３６】
【補正対象書類名】明細書
【補正対象項目名】０１３８
【補正方法】変更
【補正の内容】
【０１３８】
データ選択回路６２２は、ＣＲＩ期間の判定信号カウント値Ｓ６２０と累積加算値Ｓ６２１とに基づいて、最適なスライスレベルを選択し、選択スライスレベルＳ６２２として２値化回路６１４に出力する。選択スライスレベル値の算出方法は、実施の形態２で説明した方法と同様である。そのため説明は省略する。
【手続補正３７】
【補正対象書類名】明細書
【補正対象項目名】０１４８
【補正方法】変更
【補正の内容】
【０１４８】
Ａ／Ｄ変換器７０２は、アナログ映像信号Ｓ７０１を所定のサンプリングクロックｆｓ（ＭＨｚ）でサンプリングしてディジタル映像信号Ｓ７０２に変換し、ローパスフィルタ（ＬＰＦ）７０３に出力する。
【手続補正３８】
【補正対象書類名】明細書
【補正対象項目名】０１５３
【補正方法】変更
【補正の内容】
【０１５３】
マイコン７４２は、ＣＲＩ期間設定信号Ｓ７１８が有効な期間にのみ格納されたＲＡＭ７４１内のデータを用いて、最適なスライスレベルを算出し、２値化回路７１４に出力する。
【手続補正３９】
【補正対象書類名】明細書
【補正対象項目名】０１６７
【補正方法】変更
【補正の内容】
【０１６７】
さらに、文字放送方式の種別とサンプリングクロックの周波数とからＣＲＩ検出を行うため、サンプリングクロックさえ決定すれば、欧州のテレテキスト放送だけでなく、ＶＰＳ、ＷＳＳ、日本の文字多重放送、電子プログラミング案内（略して、ＥＰＧ）、米国のクローズドキャプション放送にも対応して正確なスライスレベル算出を行うことができ、本実施の形態５に係るデータスライス制御方法のみで、全世界の文字放送方式に対応することができる。